【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
マルチポート増幅器の調整方法であって、マルチポート増幅器には、
並列に配置した偶数個の電力増幅器であって、各増幅器は、他の増幅器と対になる前記電力増幅器と、
一連の入力ポート及び一連の出力ポートであって、入力ポートの数及び出力ポートの数は、電力増幅器の数と同じであり、入力ポートは、信号分割ネットワークによって増幅器に接続され、出力ポートは、信号合成ネットワークによって増幅器に接続される前記一連の入力ポート及び一連の出力ポートと、が含まれ、
これらによって、任意の所定入力ポートの入力信号が、全ての増幅器によって増幅され、そして、再合成されて所定出力ポートの出力信号になり、
前記方法には、各増幅器の信号位相及び利得をその対である増幅器の信号位相及び利得に、対でない増幅器間の前記整合より更に厳密に整合する段階が含まれる調整方法。
【請求項２】
請求項１に記載されたマルチポート増幅器調整方法であって、各増幅器をその対の増幅器に整合する前記段階は、前記互いに隣接した対の増幅器を整合する段階によって実行される調整方法。
【請求項３】
請求項２に記載されたマルチポート増幅器調整方法であって、信号分割及び信号合成ネットワークには、各々、一連の信号分割及び信号合成混成回路がそれぞれ含まれ、また、互いに隣接した対の増幅器を整合する前記段階には、更に、各々の前記対になる増幅器と最も近い接続のそれぞれの入出力混成回路の信号位相及び挿入損失を整合する段階が含まれる調整方法。
【請求項４】
請求項３に記載されたマルチポート増幅器調整方法であって、隣接増幅器の各対及びそれらに最も近い接続のそれぞれの入出力混成回路には、共通電源を有する自己完結型の組立体が含まれる調整方法。
【請求項５】
請求項１に記載されたマルチポート増幅器調整方法であって、各増幅器をその対の増幅器に整合する前記段階は、１つおきの増幅器を整合することによって実行される調整方法。
【請求項６】
請求項５に記載されたマルチポート増幅器調整方法であって、信号分割及び信号合成ネットワークには、各々、一連の信号分割及び信号合成混成回路がそれぞれ含まれ、また、対の１つおきの増幅器を整合する前記段階には、更に、各対の増幅器と最も近い及び次に近い接続双方のそれぞれの入出力混成回路の信号位相及び挿入損失を整合する段階が含まれる調整方法。
【請求項７】
請求項１に記載されたマルチポート増幅器調整方法であって、各増幅器をその対の増幅器に整合する前記段階は、４番目毎の増幅器間を整合することによって実行される調整方法。
【請求項８】
請求項７に記載されたマルチポート増幅器調整方法であって、信号分割及び信号合成ネットワークには、各々、一連の信号分割及び信号合成混成回路がそれぞれ含まれ、また、４番目毎に対になる増幅器を整合する前記段階には、更に、各対の増幅器と最も近く、２番目に近く、及び３番目に近い接続のそれぞれの入出力混成回路の信号位相及び挿入損失を整合する段階が含まれる調整方法。
【請求項９】
前述の請求項のいずれかに記載されたマルチポート増幅器調整方法であって、各増幅器の前記信号位相及び利得をその対の増幅器の信号位相及び利得に、実質的に１０乃至１５度の信号位相及び１乃至２ｄＢの利得の範囲内まで整合する段階が含まれる調整方法。
【請求項１０】
請求項１乃至８の内のいずれか１つに記載されたマルチポート増幅器調整方法であって、各増幅器の前記信号位相及び利得をその対の増幅器の信号位相及び利得に、実質的に７乃至１０度の信号位相及び０．７乃至１．０ｄＢの利得の範囲内まで整合する段階が含まれる調整方法。
【請求項１１】
請求項１乃至８の内のいずれか１つに記載されたマルチポート増幅器調整方法であって、各増幅器の前記信号位相及び利得をその対の増幅器の信号位相及び利得に、実質的に５乃至７度の信号位相及び０．５乃至０．７ｄＢの利得の範囲内まで整合する段階が含まれる調整方法。
【請求項１２】
請求項１乃至８の内のいずれか１つに記載されたマルチポート増幅器調整方法であって、各増幅器の前記信号位相及び利得をその対の増幅器の信号位相及び利得に、実質的に５度より小さい信号位相及び０．５ｄＢより小さい利得の範囲内まで整合する段階が含まれる調整方法。
【請求項１３】
請求項１乃至８及び１０乃至１２の内のいずれか１つに記載されたマルチポート増幅器調整方法であって、前記対でない増幅器を実質的に１５至２０度の信号位相及び１．５乃至２．５ｄＢの利得の間に整合する段階が含まれる調整方法。
【請求項１４】
請求項３、４、６、又は８のいずれかに記載されたマルチポート増幅器調整方法であって、全ての混成回路を少なくとも実質的に１０度の信号位相及び１ｄＢの挿入損失に整合する段階を含む調整方法。
【請求項１５】
請求項３、４、６、又は８に記載されたマルチポート増幅器調整方法であって、混成回路出力ポート間の９０度の位相差からの偏差を少なくとも実質的に５度に設定し、混成回路入出力ポート間の挿入損失を少なくとも実質的に０．３ｄＢに設定する段階が含まれる調整方法。
【請求項１６】
前述の請求項のいずれかに記載されたマルチポート増幅器調整方法であって、電力増幅器は、マイクロ波電力増幅器である調整方法。
【請求項１７】
マルチポート増幅器であって、
並列に配置した偶数個の電力増幅器であって、各増幅器は、他の増幅器と対になる前記電力増幅器と、
一連の入力ポート及び一連の出力ポートであって、入力ポートは、信号分割ネットワークによって増幅器に接続され、出力ポートは、信号合成ネットワークによって増幅器に接続される前記一連の入力ポート及び一連の出力ポートと、が含まれ、
これによって、任意の所定入力ポートの入力信号は、全ての増幅器によって増幅され、
そして、再合成されて所定出力ポートの出力信号になり、マルチポート増幅器は、前述の請求項のいずれかに記載の方法により調整されるマルチポート増幅器。
【請求項１８】
請求項１７に記載のマルチポート増幅器であって、８ポートを含み、信号分割及び合成ネットワークには、各々、８×８バトラーマトリクスが含まれるマルチポート増幅器。
【請求項１９】
請求項１７に記載のマルチポート増幅器であって、信号分割ネットワークには、一連の信号分割混成回路が含まれ、また、信号合成ネットワークには、一連の信号合成混成回路が含まれるマルチポート増幅器。
【請求項２０】
請求項１９に記載のマルチポート増幅器であって、８ポートを含み、信号分割及び合成ネットワークには、各々、混成回路間移相器無しのバトラーマトリクスと等価な３列の混成回路が含まれるマルチポート増幅器。
【請求項２１】
請求項１８、１９、又は２０に記載のマルチポート増幅器であって、最初の４つの入力ポートは、異なる非重複周波数帯に各々接続し、第２の４つの入力ポートは、同じ４つの周波数帯の内の１つに各々接続するマルチポート増幅器。
【請求項２２】
請求項１８、１９、又は２０に記載のマルチポート増幅器であって、最初の４つの入力ポートは、２つの異なる非重複周波数帯に交互に接続し、第２の４つの入力ポートは、２つの異なる非重複周波数帯に各々接続して、第１組の４つの入力ポート用の２つの周波数帯は、第２組のものと異なるマルチポート増幅器。
【請求項２３】
請求項１８、１９、又は２０に記載のマルチポート増幅器であって、対の隣接入力ポートが、同じ周波数帯域に接続し、各対は、４つの異なる非重複周波数帯域の内の１つに接続するマルチポート増幅器。
【請求項２４】
請求項２１、２２、又は２３に記載のマルチポート増幅器であって、各出力ポートは、ビーム毎単一給電式マルチビームアンテナのそれぞれのアンテナ給電線に接続され、これによって、定義された周波数再利用パターンに基づく周波数を有する一組のビームを形成するマルチポート増幅器。
【請求項２５】
請求項１７乃至２４のいずれかに記載のマルチポート増幅器であって、電力増幅器は、マイクロ波電力増幅器であるマルチポート増幅器。